(57)【要約】      （修正有）【課題】安価で耐久性のある柵用扉構造を提供する。【解決手段】柵１２の上下方向の支柱１１ａに嵌められた一の支持環３１と、扉２０の上下方向の取付杆２１に嵌められた他の支持環３２と、両支持環を連結する連結片３４とからなる。両支持環は、周囲の一部で割られて拡径可能となっているとともに、その両割縁から前方に連結片３４がそれぞれ突出し、その各連結片を重ね合わせてボルト３５・ナット３６、で締結されて連結板が形成されている。両支持環の一方は、支柱又は取付杆に固定され、他方は取付杆又は支柱に回転自在となっている。両支持環を拡径して柵の支柱及び扉の取付杆に嵌める。その嵌めた状態で、連結片を重ねてねじ止めすれば、その連結片が連結板を構成して両支持環が一体となって支柱に扉が取り付けられる。【選択図】図３
2019165708.tif 000002
【特許請求の範囲】
【請求項１】
柵（１２）の一部に扉を設けたその扉の取付構造であって、柵の上下方向の支柱（１１ａ）に嵌められた一の支持環（３１）と、扉（２０）の上下方向の取付杆（２１）に嵌められた他の支持環（３２）と、前記両支持環（３１、３２）を連結する連結板とからなり、
上記両支持環（３１、３２）は、周囲の一部で割られて拡径可能となっているとともに、その両割縁から前方に連結片（３４）がそれぞれ突出しており、その各連結片（３４）を重ね合わせてボルト・ナット締め（３５、３６）されて上記連結板が形成され、かつ、前記両支持環（３１、３２）の一方は、支柱（１１ａ）又は取付杆（２１）に固定され、他方は取付杆（２１）又は支柱（１１ａ）に回転自在となっている柵における扉取付構造。
【請求項２】
上記両支持環（３１、３２）の少なくとも一方は、対の半割部材からなって上記一部の割部の反対縁は蝶番（３７）で連結されている請求項１に記載の柵における扉取付構造。
【発明の詳細な説明】
【技術分野】
【０００１】
この発明は、獣害防止柵等の柵に設ける扉の取付構造に関する。
【背景技術】
【０００２】
従来、例えば、猪や鹿等の各種の動物の侵入を防止するために、農地や農場等の圃場の周囲に立設される獣害防止柵（フェンス）は、その圃場の周囲の適宜な箇所に、一定間隔で支柱を立て、その支柱の間に、トタン板、格子状の金属網を設けて構成している（特許文献１）。この防止柵には、圃場に出入りするための開閉扉（門扉）を必ず設ける。
その従来の扉は、上記一部の支柱間の柵を欠如し、その間に扉を設置し、その扉は、扉のフレームを支柱に紐や金属線など括り付けて開閉可能としている。
【先行技術文献】
【特許文献】
【０００３】
【特許文献１】特開２００３−９２９７６号公報
【発明の概要】
【発明が解決しようとする課題】
【０００４】
上記紐等による括り付けは強度が弱く、経年劣化が激しいため、たびたび修理する必要がある。
また、金属蝶番でもって支柱に扉を開閉自在に取り付けることもなされているが、その蝶番の支柱、フレームへの取付には、溶接や孔開けなどが伴い、作業が煩わしく、また、コストの高いものとなっている。
さらに、２重筒による扉開閉構造も考案されているが、その筒の支柱への取付が煩雑である（特許文献１図５〜図８等参照）。
【０００５】
この発明は、以上の実状の下、安価で耐久性のある扉構造を得ることを課題とする。
【課題を解決するための手段】
【０００６】
上記課題を達成するため、この発明は、柵の一部に扉を設けたその扉の取付構造であって、柵の上下方向の支柱に嵌められた一の支持環と、扉の上下方向の取付杆に嵌められた他の支持環と、前記両支持環を連結する連結板とからなり、前記両支持環は、周囲の一部で割られて拡径可能となっているとともに、その両割縁から前方に連結片がそれぞれ突出しており、その各連結片を重ね合わせてボルト・ナット締結されて前記連結板が形成され、かつ、前記両支持環の一方は支柱又は取付杆に固定され、他方は取付杆又は支柱に回転自在となっている構成としたのである。
【０００７】
このようにすれば、両支持環を拡径して柵の支柱及び扉の取付杆に嵌めることができ、その嵌めた状態で、連結片を重ねてボルト・ナット締結すれば、その連結片が連結板を構成して両支持環が一体となって支柱に扉が取り付けられる。その取付状態は、両支持環の少なくとも一方が支柱又は取付杆に回転自在に嵌っているため、扉は支柱又は取付杆に対して回転可能である。このため、扉の開閉を容易に行うことができる。
【０００８】
上記構成において、両支持環の少なくとも一方が、対の半割部材からなって上記一部の割部の反対縁は蝶番で連結されている構成とすれば、その蝶番を有する支持環は、蝶番を介して拡径し易いため、支柱又は取付杆により嵌め易くなる。
【発明の効果】
【０００９】
この発明は、以上のように構成したので、安価かつ耐久性の高い扉取付構造とすることができる。
【図面の簡単な説明】
【００１０】
【図１】この発明に係る獣害防止柵の概略図
【図２】図１の要部拡大正面図
【図３】図２の切断平面図
【図４】他の実施例の切断平面図
【図５】図３の要部斜視図
【図６】図５の分解斜視図
【発明を実施するための形態】
【００１１】
この発明に係る獣害防止柵の一実施形態を図１〜図６に示し、この実施形態は、猪Ａ等の獣が出没する農地の回りにその防止柵１０を設けたものである。
その防止柵１０は、支柱１１を地盤Ｇに一定間隔に建て、その各支柱１１、１１間に四角状柵１２を設け、その一部の支柱１１ａ、１１ａ間を農地への出入り口とし、その出入り口に扉２０を設けたものである。各支柱１１（１１ａ、１１ａ）は、杭状として地盤Ｇに打ち込んで倒れないようにする。
【００１２】
柵１２は、四角状の枠（フレーム）１２ａに、金属線からなる縦線１２ｂと横線１２ｃを格子状に配置すると共にその接点を溶接して構成されている。
支柱１１は各柵１２毎に設けなくても、柵１２が針金などの括りで一体化できれば、各柵１２、１２間の支柱１１は適宜に省略できる。すなわち、数個の柵１２毎でも良い。柵１２の縦線１２ｂは地盤Ｇに届く長さとすることができる。特に、柵１２、１２間の支柱１１を省略した場合には、縦線１２ｂを地盤Ｇに届くようにすると柵１２が地盤Ｇ上で安定する。
【００１３】
扉２０は、観音開きとなって、対の扉２０ａ、２０ｂからなる。この扉２０の位置する支柱１１ａは他の支柱１１より太くて強度の高い物としている。
扉２０（２０ａ、２０ｂ）は、柵１２と同様に、四角状のフレーム枠の取付杆２１に、金属線からなる縦線２１ｂと横線２１ｃを格子状に配置すると共にその接点を溶接して構成されている。
この支柱１１ａに扉２０を取り付けた構造がこの発明の特徴であり、扉２０は柵１２の支柱１１ａに開閉機構３０を介して開閉自在となっている。
【００１４】
その開閉機構３０は、図２〜図６に示すように、柵１２の支柱１１ａに取り付ける支柱側の一の支持環３１と、扉２０のフレーム枠の取付杆２１に取り付ける扉側の他の支持環３２とからなる。
両支持環３１、３２は、それぞれ円筒状の一部を縦方向（筒軸方向）に割った拡径可能なものであり、幅方向中央全周にリブ３３を設けて補強されている。その両支持環３１、３２の割縁にそれぞれ連結片３４が一体に突出して設けてある。この４枚の各連結片３４は重ねてボルト３５を貫通させてナット３６により締結して連結板を構成する。
支柱１１ａ側の一の支持環３１は、上記割縁の反対側も割られて蝶番３７によって連結されて連結片３４が開閉自在となっている。
両支持環３１、３２及び連結板（連結片３４）は、防錆処理がなされた金属板からなる。
【００１５】
この実施形態の扉の取付構造は以上の通りであり、図６鎖線で示すように、両支持環３１、３２の連結片３４を開いて支柱１１ａ及び扉２０の取付杆２１に各支持環３１、３２を嵌めた後、図２〜図５に示すように、両支持環３１、３２の連結片３４を重ねてボルト３５、ナット３６で締結する。この締結により、前記両支持環３１、３２の一方は支柱１１ａ又は取付杆２１に固定され、他方は取付杆２１又は支柱１１ａに回転自在となる。
【００１６】
この実施形態における一の実施例は、図３に示すように、支持環３１が支柱１１ａに固定され、扉２０側の支持環３２が取付杆２１に回転自在となっている。このため、開閉機構３０によって支柱１１ａに取り付けられた扉２０は、図３の実線から鎖線又はその逆のように、取付杆２１に対して開閉機構３０を介して矢印のように動くため、農地への出入りが容易である。
一方、図４に示す他の実施例は、同図に示すように、支持環３２が取付杆２１に固定され、支柱１１ａ側の支持環３１がその支柱１１ａに回転自在となっている。このため、開閉機構３０によって支柱１１ａに取り付けられた扉２０は、同図の実線から鎖線又はその逆のように、支柱１１ａに対して開閉機構３０を介して矢印のように動くため、農地への出入りが容易である。
【００１７】
支持環３１、３２の支柱１１ａ、取付杆２１への取付位置（上下方向）は、図１に示すように、扉２０の開閉が円滑に行い得るように上下の適宜な箇所とする。このとき、固定側の支持環３１、３２が上記ボルト・ナット３５、３６の締結によって支柱１１ａ又は取付杆２１に上下移動不能に固定されるため、開閉機構３０は上下方向に移動しないが、固定側の支持環３１又は３２は柵１２又は扉２０の横線１２ｃ、２１ｃの端に載せたり（図２の横線１２ｃ参照）、支柱１１ａ又は取付杆２１にその下方向へのストッパ片を溶接等で固定したりすることが好ましい。一方、回転側の支持環３１、３２は扉２０又は柵１２の横線２１ｃ、１２ｃの下側に当接するようにすることが好ましい（図２の横線２１ｃ参照）。
【００１８】
この実施形態は、支柱１１ａ側の支持環３１を蝶番３７により拡径可能としたが、取付杆２１側の支持環３２も蝶番により拡径自在とすることもできる。すなわち、両支持環３１、３２の少なくとも一方を蝶番により拡径自在とすることができる。しかし、蝶番でなくても、割縁があれば、支持環３１、３２は拡径が可能であるため（図６参照）、必ずしも蝶番３７を設けなくても良い。
この実施形態においては、溶接や割ピンの装着等の作業はなく、両支持環３１、３２の嵌め込み及びボルト・ナット締めによって扉２０の開閉機構３０を構成するため、その扉２０の取付作業性が良い。
【００１９】
この実施形態の扉２０は観音開きであったが、片開きでも良いことは勿論である。
また、柵１２は、上記縦横の金属線１２ｂ、１２ｃからなる四角枠の格子状の形状に限らず、トタン板等の周知の態様を適宜に採用できることは言うまでもない。
実施形態は獣害防止柵に係るものであったが、この発明は、獣害防止柵以外の他の柵、例えば、家畜用柵、太陽光発電施設周辺柵等においても、その門扉を設ける場合に採用できる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２０】
１１、１１ａ  支柱
１２  柵
１２ａ  柵の枠（フレーム）
１２ｂ  柵の縦金属線
１２ｃ  柵の横金属線
２０、２０ａ、２０ｂ  扉
２１  取付杆
２１ｂ  扉の縦金属線
２１ｃ  扉の横金属線
３０  扉の開閉機構
３１  一の支持環
３２  他の支持環
３４  連結片
３５  締結ボルト
３６  締結ナット
３７  蝶番（ヒンジ）
Ａ  獣（猪）
Ｇ  地盤
【図１】
2019165708.tif 000003
【図２】
2019165708.tif 000004
【図３】
2019165708.tif 000005
【図４】
2019165708.tif 000006
【図５】
2019165708.tif 000007
【図６】
2019165708.tif 000008